(57)【要約】【課題】  ユーザにとっての利便性を低下させることなく、他の情報機器と無線通信を行うことができる携帯情報端末装置を提供する。【解決手段】  Ｂｌｕｅｔｏｏｔｈ規格およびＩＥＥＥ８０２．１１ｘ規格に準拠して無線通信可能な携帯電話装置１０において、制御部２１は、前記２つの通信規格で外部の機器２，３と同時に無線通信可能に接続している状態であるか否かを判定し、同時接続状態であれば、利用している周波数帯が同一か否かを判定し、周波数帯が同一であれば、動作中のプロファイルがＨＳＰまたはＨＦＰであるか否かを判定し、プロファイルがＨＳＰまたはＨＦＰであれば、通話状態であるか否かを判定し、通話状態であれば、２つの通信規格を示す項目を含む選択肢が設けられたメニュー画面Ｍ４を表示部３１に表示させ、メニュー画面Ｍ４において、一方の通信規格を示す項目が選択されると、他方の通信規格による外部の機器との接続を切断させる。【選択図】      図３
2014045369.tif 000002
【特許請求の範囲】
【請求項１】
外部の機器と無線通信する無線通信手段であって、互いに異なる無線通信規格に準拠してそれぞれ無線通信する複数の無線通信手段と、
画像情報に基づいて画面を表示する表示手段と、
前記画面に選択肢が設けられている場合に、任意の項目を選択するための操作を受け付ける操作受付手段と、
前記複数の無線通信手段、表示手段、および操作受付手段を制御する制御手段とを備え、
前記制御手段は、
少なくとも２つ以上の前記無線通信手段が、それぞれ異なる外部の機器と無線通信可能に接続している同時接続状態であるか否かを判定する接続状態判定部と、
前記接続状態判定部によって同時接続状態であると判定された場合に、無線通信可能に接続している各無線通信手段が利用している周波数帯が同一であるか否かを判定する周波数帯判定部と、
前記周波数帯判定部によって同一であると判定された場合に、同一の周波数帯を利用している無線通信手段を示す各項目を含む選択肢が設けられた選択画面の画像情報を生成し、該第１の選択画面を前記表示手段に表示させる表示制御部と、
前記操作受付手段を介して前記選択肢の中から一の無線通信手段を示す項目が選択されると、同一の周波数帯を利用している前記各無線通信手段のうち、該一の無線通信手段を除く残余の無線通信手段と外部の機器との接続を切断させる無線通信制御部とを有することを特徴とする携帯情報端末装置。
【請求項２】
Ｂｌｕｅｔｏｏｔｈ（登録商標）規格に準拠して外部の機器と無線通信する第１の無線通信手段と、
ＩＥＥＥ８０２．１１諸規格のうちの少なくとも１つに準拠して外部の機器と無線通信する第２の無線通信手段と、
外部の電話機との間で通話を行うために、移動体通信網の基地局と無線通信する第３の通信手段と、
画像情報に基づいて画面を表示する表示手段と、
前記画面に選択肢が設けられている場合に、任意の項目を選択するための操作を受け付ける操作受付手段と、
前記第１〜第３の無線通信手段、表示手段、ならびに操作受付手段を制御する制御手段とを備え、
前記制御手段は、
前記第１および第２の無線通信手段が、それぞれ異なる外部の機器と無線通信可能に接続している同時接続状態であるか否かを判定する接続状態判定部と、
前記接続状態判定部によって同時接続状態であると判定された場合に、第２の無線通信手段が利用している周波数帯が、第１の無線通信手段が利用している周波数帯と同一であるか否かを判定する周波数帯判定部と、
前記周波数帯判定部によって同一であると判定された場合に、前記第１の無線通信手段による動作中のプロファイルが、通話のために利用され得るプロファイルであるか否かを判定するプロファイル判定部と、
前記プロファイル判定部によって通話のために利用され得るプロファイルであると判定された場合に、外部の電話機との間で通話が行われている状態であるか否かを判定する通話状態判定部と、
前記通話状態判定部によって通話が行われている状態であると判定された場合に、前記第１および第２の無線通信手段を示す各項目を含む選択肢が設けられた第１の選択画面の画像情報を生成し、該第１の選択画面を前記表示手段に表示させる表示制御部と、
前記操作受付手段を介して前記選択肢の中から一方の無線通信手段を示す項目が選択されると、他方の無線通信手段と外部の機器との接続を切断させる無線通信制御部とを有することを特徴とする携帯情報端末装置。
【請求項３】
前記表示制御部は、前記他方の無線通信手段と外部の機器との接続が前記無線通信制御部によって切断された後に、前記一方の無線通信手段と外部の機器との接続が切断されると、前記他方の無線通信手段と外部の機器との接続を再開させるか否かを選択させるための第２の選択画面の画像情報を生成し、該第２の選択画面を前記表示手段に表示させ、
前記無線通信制御部は、前記操作受付手段を介して再開させる旨の項目が選択されると、前記他方の無線通信手段と外部の機器との接続を開始させることを特徴とする請求項２記載の携帯情報端末装置。
【請求項４】
前記選択肢は、同時接続状態を維持するための項目をさらに含むことを特徴とする請求項１〜３のいずれか１つに記載の携帯情報端末装置。
【請求項５】
コンピュータを、請求項１〜４のいずれか１つに記載の携帯情報端末装置における制御手段として機能させるためのプログラム。
【請求項６】
請求項５に記載のプログラムを記録したコンピュータ読取可能な記録媒体。
【発明の詳細な説明】
【技術分野】
【０００１】
本発明は、互いに異なる複数の通信規格に準拠して他の情報機器と無線通信を行うことが可能な、携帯電話装置などの携帯情報端末装置、プログラムおよび記録媒体に関する。
【背景技術】
【０００２】
近年、スマートフォンやフィーチャーフォンなどの携帯電話装置では、「３Ｇ（3rd Generation）」と称される第３世代移動通信システムなどの移動体通信システムを利用した通信、Ｂｌｕｅｔｏｏｔｈ（登録商標）対応機器との無線通信、および無線ＬＡＮ（Local Area Network）での通信を行うことが可能となっている。
【０００３】
これらの通信は同時に利用することが可能なため、たとえば、無線ＬＡＮ経由でインターネットに接続してＷｅｂブラウジングを利用しつつ、Ｂｌｕｅｔｏｏｔｈに対応したヘッドセットを装着して、通信先との通話を行うといったことも可能となっている。
【０００４】
しかしながら、このような利用シーンにおいて、無線ＬＡＮ経由でデータ通信を行う際に、アクセスポイントとの無線通信に２．４ＧＨｚ帯のＩＳＭバンド（Industrial, Scientific and Medical Band）が用いられると、Ｂｌｕｅｔｏｏｔｈ規格に準拠した無線通信との間で混信が生じて、通信品質が劣化してしまい、場合によっては、アクセスポイントとの接続が切断される、といったユーザにとって意図しない動作が起こってしまうという問題がある。
【０００５】
たとえば、特許文献１には、Ｂｌｕｅｔｏｏｔｈ規格に準拠して無線通信を行うブルートゥースモジュールと、ＩＥＥＥ８０２．１１ｂ規格に準拠して無線通信を行う無線ＬＡＮモジュールとが搭載されたパーソナルコンピュータにおいて、一方の通信規格による無線通信だけを有効に機能させ、他方の通信規格による無線通信を使用不能にするといった技術が開示されている。
【先行技術文献】
【特許文献】
【０００６】
【特許文献１】特開２００３−８７２６９号公報
【発明の概要】
【発明が解決しようとする課題】
【０００７】
上記特許文献１に記載の技術によれば、ユーザは、キーボードを用いてホットキーを入力し、無線機器切替ユーティリティを起動させて、２つの通信規格のうちの一方の通信規格による無線通信だけが許容されるように、事前に設定しておかなければならない。したがって、一方の通信規格による無線通信を利用しているときに、他方の通信規格による無線通信を利用するためには、そのための設定操作を行わなければならず、ユーザにとっての利便性は低い。また、特許文献１に記載の技術によれば、２つの通信規格のうちのいずれか一方の通信規格による無線通信しか許容されないので、上記のような利用シーンが不可能となり、この点においても利便性は低い。
【０００８】
本発明の目的は、ユーザにとっての利便性を低下させることなく、他の情報機器と無線通信を行うことができる携帯情報端末装置、プログラムおよび記録媒体を提供することである。
【課題を解決するための手段】
【０００９】
本発明は、外部の機器と無線通信する無線通信手段であって、互いに異なる無線通信規格に準拠してそれぞれ無線通信する複数の無線通信手段と、
画像情報に基づいて画面を表示する表示手段と、
前記画面に選択肢が設けられている場合に、任意の項目を選択するための操作を受け付ける操作受付手段と、
前記複数の無線通信手段、表示手段、および操作受付手段を制御する制御手段とを備え、
前記制御手段は、
少なくとも２つ以上の前記無線通信手段が、それぞれ異なる外部の機器と無線通信可能に接続している同時接続状態であるか否かを判定する接続状態判定部と、
前記接続状態判定部によって同時接続状態であると判定された場合に、無線通信可能に接続している各無線通信手段が利用している周波数帯が同一であるか否かを判定する周波数帯判定部と、
前記周波数帯判定部によって同一であると判定された場合に、同一の周波数帯を利用している無線通信手段を示す各項目を含む選択肢が設けられた選択画面の画像情報を生成し、該第１の選択画面を前記表示手段に表示させる表示制御部と、
前記操作受付手段を介して前記選択肢の中から一の無線通信手段を示す項目が選択されると、同一の周波数帯を利用している前記各無線通信手段のうち、該一の無線通信手段を除く残余の無線通信手段と外部の機器との接続を切断させる無線通信制御部とを有することを特徴とする携帯情報端末装置である。
【００１０】
また本発明は、Ｂｌｕｅｔｏｏｔｈ（登録商標）規格に準拠して外部の機器と無線通信する第１の無線通信手段と、
ＩＥＥＥ８０２．１１諸規格のうちの少なくとも１つに準拠して外部の機器と無線通信する第２の無線通信手段と、
外部の電話機との間で通話を行うために、移動体通信網の基地局と無線通信する第３の通信手段と、
画像情報に基づいて画面を表示する表示手段と、
前記画面に選択肢が設けられている場合に、任意の項目を選択するための操作を受け付ける操作受付手段と、
前記第１〜第３の無線通信手段、表示手段、ならびに操作受付手段を制御する制御手段とを備え、
前記制御手段は、
前記第１および第２の無線通信手段が、それぞれ異なる外部の機器と無線通信可能に接続している同時接続状態であるか否かを判定する接続状態判定部と、
前記接続状態判定部によって同時接続状態であると判定された場合に、第２の無線通信手段が利用している周波数帯が、第１の無線通信手段が利用している周波数帯と同一であるか否かを判定する周波数帯判定部と、
前記周波数帯判定部によって同一であると判定された場合に、前記第１の無線通信手段による動作中のプロファイルが、通話のために利用され得るプロファイルであるか否かを判定するプロファイル判定部と、
前記プロファイル判定部によって通話のために利用され得るプロファイルであると判定された場合に、外部の電話機との間で通話が行われている状態であるか否かを判定する通話状態判定部と、
前記通話状態判定部によって通話が行われている状態であると判定された場合に、前記第１および第２の無線通信手段を示す各項目を含む選択肢が設けられた第１の選択画面の画像情報を生成し、該第１の選択画面を前記表示手段に表示させる表示制御部と、
前記操作受付手段を介して前記選択肢の中から一方の無線通信手段を示す項目が選択されると、他方の無線通信手段と外部の機器との接続を切断させる無線通信制御部とを有することを特徴とする携帯情報端末装置である。
【００１１】
また本発明は、前記表示制御部は、前記他方の無線通信手段と外部の機器との接続が前記無線通信制御部によって切断された後に、前記一方の無線通信手段と外部の機器との接続が切断されると、前記他方の無線通信手段と外部の機器との接続を再開させるか否かを選択させるための第２の選択画面の画像情報を生成し、該第２の選択画面を前記表示手段に表示させ、
前記無線通信制御部は、前記操作受付手段を介して再開させる旨の項目が選択されると、前記他方の無線通信手段と外部の機器との接続を開始させることを特徴とする。
【００１２】
また本発明は、前記選択肢は、同時接続状態を維持するための項目をさらに含むことを特徴とする。
【００１３】
また本発明は、コンピュータを、前記携帯情報端末装置における制御手段として機能させるためのプログラムである。
【００１４】
また本発明は、前記プログラムを記録したコンピュータ読取可能な記録媒体である。
【発明の効果】
【００１５】
本発明によれば、ユーザにとっての利便性を低下させることなく、他の情報機器と無線通信を行うことができる。
【図面の簡単な説明】
【００１６】
【図１】本発明の一実施形態に係る携帯電話装置１０においてサポートされている通信環境を説明するための図である。
【図２】本発明の一実施形態に係る携帯電話装置１０の概略的な構成の一例を示すブロック図である。
【図３】制御部２１が通信方式制御プログラム２２を実行することによって実現される各種の機能を示す機能ブロック図である。
【図４】制御部２１が通信方式制御プログラム２２を実行することによって行われる通信方式制御処理の処理手順を示すフローチャートである。
【図５】通信方式制御処理中に操作面３１ａに表示されるメニュー画面を示す図である。
【発明を実施するための形態】
【００１７】
図１は、本発明の一実施形態に係る携帯電話装置１０においてサポートされている通信環境を説明するための図である。本実施形態に係る携帯電話装置１０は、通信先の電話機へ通話可能に接続するために、移動体通信のセルラーネットワークの無線基地局１との間で無線通信を行うことが可能であるとともに、Ｂｌｕｅｔｏｏｔｈ（登録商標）対応の他の情報機器２（外部の機器）との間でＢｌｕｅｔｏｏｔｈ規格に準拠して無線通信を行うことが可能であり、さらに、無線ＬＡＮ（Local Area Network）のアクセスポイント３（外部の機器）との間で、ＩＥＥＥ８０２．１１ａ／ｂ／ｇ／ｎ規格のうちの少なくとも１つに準拠して無線通信を行うことが可能である。
【００１８】
図２は、本発明の一実施形態に係る携帯電話装置１０の概略的な構成の一例を示すブロック図である。図２に示すように、本実施形態に係る携帯電話装置１０は、タッチパネル１１と、キー操作部１２と、音声処理部１３と、受話口に設けられるスピーカ１４と、送話口に設けられるマイクロホン１５と、移動体通信モジュール１６と、Ｂｌｕｅｔｏｏｔｈモジュール１７と、無線ＬＡＮモジュール１８と、フラッシュメモリ１９と、ＲＡＭ（Random Access Memory）２０と、制御部２１とを含んで構成され、たとえばスマートフォンによって実現される。
【００１９】
タッチパネル１１は、ユーザによってタッチ操作される操作面３１ａ（図１参照）を有し、その操作面３１ａが外部に露出するように、筐体内に収容されている。タッチパネル１１は、その操作面３１ａに画像データに応じた画像を表示する表示部３１と、表示部３１に重畳されたタッチセンサ３２とを有する。表示部３１は、たとえば液晶パネルおよびバックライトを備える液晶ディスプレイ装置や、有機ＥＬ（Electro-Luminescence）ディスプレイ装置などの公知の表示装置によって実現される。
【００２０】
タッチセンサ３２は、たとえば投影型静電容量方式のセンサによって実現され、ユーザが指やスタイラスなどを用いて、操作面３１ａに対して行ったタップ操作やフリック操作などのタッチ操作を、タッチ操作が行われた操作面３１ａ上での位置とともに検出し、検出信号を制御部２１へ与える。
【００２１】
キー操作部１２は、携帯電話装置１０の正面部や側面部に設けられる各種の操作キーを有し、ユーザによって任意の操作キーが押圧操作されると、当該操作キーが操作されたことを示す操作信号が、キー操作部１２から制御部２１に与えられる。
【００２２】
音声処理部１３は、携帯電話装置１０の電話機能により通話を行うための音声の入出力インターフェイスであり、スピーカ１４およびマイクロホン１５が接続され、スピーカ１４を介して音声を出力し、マイクロホン１５を介して音声を入力する。
【００２３】
移動体通信モジュール１６は、たとえばＩＭＴ−２０００（International Mobile Telecommunications 2000）規格に準拠した第３世代移動通信システムなどの移動体通信システムによる無線通信を実行する無線通信デバイスである。移動体通信モジュール１６は、移動体通信のセルラーネットワークの無線基地局１との間で無線接続を確立することによって、ＣＤＭＡ（Code Division Multiple Access）等の方式によって無線通信を行う。
【００２４】
Ｂｌｕｅｔｏｏｔｈモジュール１７は、Ｂｌｕｅｔｏｏｔｈ規格に準拠した無線通信を実行する無線通信デバイスである。Ｂｌｕｅｔｏｏｔｈモジュール１７は、Ｂｌｕｅｔｏｏｔｈに対応した他の情報機器２との間で無線接続を確立することによって、該他の情報機器２との間でデータの送受信を行う。
【００２５】
無線ＬＡＮモジュール１８は、たとえばＩＥＥＥ８０２．１１ａ／ｂ／ｇ／ｎ規格のうちの少なくとも１つに準拠した無線通信を実行する無線通信デバイスである。無線ＬＡＮモジュール１８は、無線ＬＡＮのアクセスポイント３との間で無線接続を確立することによって、そのアクセスポイント３との間でデータの送受信を行う。
【００２６】
フラッシュメモリ１９は、携帯電話装置１０の基本的な機能を実現するオペレーティングシステムプログラムのほか、たとえばメールアプリケーション（電子メール機能）を実現するためのメールプログラム、ブラウザアプリケーション（Ｗｅｂブラウジング機能）を実現するためのブラウザプログラム、電話帳アプリケーション（電話帳機能）を実現するための電話帳プログラムなどとともに、本実施形態に係る携帯電話装置１０において実行される複数の無線通信方式による無線通信を制御するためのソフトウェアである通信方式制御プログラム２２が記憶されている。
【００２７】
制御部２１は、携帯電話装置１０の各部の動作を制御する処理部であり、たとえばＣＰＵ（Central Processing Unit）によって実現される。制御部２１は、フラッシュメモリ１９からＲＡＭ２０にロードされる、オペレーティングシステムプログラム、各種のアプリケーションプログラム、および通信方式制御プログラム２２などを実行する。
【００２８】
図３は、制御部２１が通信方式制御プログラム２２を実行することによって実現される各種の機能を示す機能ブロック図である。制御部２１は、フラッシュメモリ１９に記憶される通信方式制御プログラム２２を実行することによって、接続状態判定部４１、周波数帯判定部４２、プロファイル判定部４３、通話状態判定部４４、表示制御部４５、無線通信制御部４６として機能する。
【００２９】
接続状態判定部４１は、Ｂｌｕｅｔｏｏｔｈモジュール１７によって、携帯電話装置１０と、Ｂｌｕｅｔｏｏｔｈに対応した他の情報機器２との間で無線接続が確立している状態（以下、「Ｂｌｕｅｔｏｏｔｈ接続状態」と称する）であるか否かを判定するとともに、無線ＬＡＮモジュール１８によって、携帯電話装置１０と、無線ＬＡＮのアクセスポイント３との間で無線接続が確立している状態（以下、「無線ＬＡＮ接続状態」と称する）であるか否かを判定する。
【００３０】
周波数帯判定部４２は、接続状態判定部４１によって無線ＬＡＮ接続状態であると判定された場合に、携帯電話装置１０とアクセスポイント３とが、どの周波数帯を利用して無線接続しているのかを判定する。具体的には、２．４ＧＨｚ帯および５ＧＨｚ帯のうちのいずれの周波数帯を利用して無線接続しているのかを判定する。
【００３１】
また周波数帯判定部４２は、携帯電話装置１０とアクセスポイント３とが、２．４ＧＨｚ帯を利用して無線接続していると判定された場合には、さらに、無線ＬＡＮのデータ転送レート（ビットレート［単位：ｂｐｓ］）の規格値を取得する。
【００３２】
プロファイル判定部４３は、接続状態判定部４１によってＢｌｕｅｔｏｏｔｈ接続状態であると判定された場合に、携帯電話装置１０と他の情報機器２とが、どのプロファイルによって無線接続しているのかを判定する。
【００３３】
通話状態判定部４４は、接続状態判定部４１によってＢｌｕｅｔｏｏｔｈ接続状態であると判定された場合に、携帯電話装置１０が、移動体通信モジュール１６と無線基地局１との間で無線接続を確立することによって、他の電話機と通話可能に接続されている状態（以下、「通話状態」と称する）であるか否かを判定する。
【００３４】
表示制御部４５は、接続状態判定部４１によって無線ＬＡＮ接続状態かつＢｌｕｅｔｏｏｔｈ接続状態であると判定された場合に、後述するメニュー画面の画像データを生成し、生成した画像データを表示部３１に与えることによって、メニュー画面を操作面３１ａに表示させる。
【００３５】
無線通信制御部４６は、表示制御部４５によって操作面３１ａにメニュー画面が表示され、かつそのメニュー画面の中に、無線ＬＡＮ接続状態およびＢｌｕｅｔｏｏｔｈ接続状態のうちのいずれを優先するかをユーザに選択させるための２つのアイコンが表示されている場合に、一方のアイコンがタップ操作されたことがタッチセンサ３２を介して検出されると、他方のアイコンに対応した通信規格による無線接続を切断する。
【００３６】
図４は、制御部２１が通信方式制御プログラム２２を実行することによって行われる通信方式制御処理の処理手順を示すフローチャートである。図５は、通信方式制御処理中に操作面３１ａに表示されるメニュー画面Ｍ１〜Ｍ６を示す図である。
【００３７】
携帯電話装置１０に電源が投入されると処理を開始し、ステップｓ１に進む。ステップｓ１で、接続状態判定部４１は、無線ＬＡＮ接続状態であるか否かを判定するとともに、Ｂｌｕｅｔｏｏｔｈ接続状態であるか否かを判定し、無線ＬＡＮ接続状態かつＢｌｕｅｔｏｏｔｈ接続状態である、すなわち同時接続状態と判定されるとステップｓ２に進む。なお、ステップｓ１の処理は、同時接続状態であると判定されるまで繰り返し行われる。
【００３８】
ステップｓ２で、周波数帯判定部４２は、携帯電話装置１０と無線ＬＡＮのアクセスポイント３とが、２．４ＧＨｚ帯および５ＧＨｚ帯のうちのいずれの周波数帯を利用して無線接続しているのかを判定する。５ＧＨｚ帯を利用していると判定された場合にはステップｓ３に進み、２．４ＧＨｚ帯を利用していると判定された場合にはステップｓ４に進む。
【００３９】
ステップｓ３で、表示制御部４５は、図５（ａ）に示すように、無線ＬＡＮによる接続が５ＧＨｚ帯を利用して行われていることを示す文字情報Ｗ１を含んだメニュー画面Ｍ１の画像データを生成し、生成した画像データを表示部３１に与えることによって、メニュー画面Ｍ１を操作面３１ａに表示させ、通信方式制御処理を終了する。
【００４０】
ステップｓ４で、周波数帯判定部４２は、ビットレートを取得し、ステップｓ５に進む。ステップｓ５で、プロファイル判定部４３は、携帯電話装置１０と、Ｂｌｕｅｔｏｏｔｈ規格に準拠して無線接続中の他の情報機器２との間で動作しているプロファイルを取得し、ステップｓ６に進む。
【００４１】
ステップｓ６で、プロファイル判定部４３は、取得したプロファイルの中に、通話のために利用され得るプロファイルが含まれているか否かを判定する。具体的には、取得したプロファイルの中に、ＨＳＰ（Headset Profile）またはＨＦＰ（Hands-Free Profile）が含まれているか否かを判定し、含まれていない場合にはステップｓ７に進み、含まれている場合にはステップｓ８に進む。
【００４２】
ステップｓ７で、表示制御部４５は、図５（ｂ）に示すように、無線ＬＡＮによる接続が２．４ＧＨｚ帯を利用して行われていることおよびビットレートを示す文字情報Ｗ２１と、動作中のプロファイルを示す文字情報Ｗ２２とを含んだメニュー画面Ｍ２の画像データを生成し、生成した画像データを表示部３１に与えることによって、メニュー画面Ｍ２を操作面３１ａに表示させ、通信方式制御処理を終了する。図５（ｂ）では、動作中のプロファイルが、Ａ２ＤＰ（Advanced Audio Distribution Profile）である場合を示している。
【００４３】
ステップｓ８で、通話状態判定部４４は、携帯電話装置１０が、移動体通信モジュール１６と無線基地局１との間で無線接続を確立することによって、他の電話機と通話状態であるか否かを判定し、通話状態でない場合にはステップｓ９に進み、通話状態である場合にはステップｓ１０に進む。
【００４４】
ステップｓ９で、表示制御部４５は、図５（ｃ）に示すように、無線ＬＡＮによる接続が２．４ＧＨｚ帯を利用して行われていることおよびビットレートを示す文字情報Ｗ３１と、動作中のプロファイルを示す文字情報Ｗ３２と、通話状態でないことを示す文字情報Ｗ３３とを含んだメニュー画面Ｍ３の画像データを生成し、生成した画像データを表示部３１に与えることによって、メニュー画面Ｍ３を操作面３１ａに表示させ、通信方式制御処理を終了する。
【００４５】
ステップｓ１０で、表示制御部４５は、図５（ｄ）に示すように、無線ＬＡＮによる接続が２．４ＧＨｚ帯を利用して行われていることおよびビットレートを示す文字情報Ｗ４１と、動作中のプロファイルを示す文字情報Ｗ４２と、通話状態であることを示す文字情報Ｗ４３と、選択可能な３つのアイコンＩ１〜Ｉ３とを含んだメニュー画面Ｍ４の画像データを生成し、生成した画像データを表示部３１に与えることによって、メニュー画面Ｍ４を操作面３１ａに表示させ、ステップｓ１１に進む。
【００４６】
ここで、図５（ｄ）に示すように、アイコンＩ１は、無線ＬＡＮを優先して接続する場合に選択されるアイコンであり、アイコンＩ２は、Ｂｌｕｅｔｏｏｔｈを優先して接続する場合に選択されるアイコンであり、アイコンＩ３は、同時接続状態を維持する場合に選択されるアイコンである。
【００４７】
ステップｓ１１で、無線通信制御部４６は、タッチパネル１１から入力される検出信号を監視して、アイコンＩ１がタップ操作されたか否かを判定し、アイコンＩ１がタップ操作された場合にはステップｓ１２に進み、タップ操作されていない場合にはステップｓ１７に進む。
【００４８】
ステップｓ１２で、無線通信制御部４６は、Ｂｌｕｅｔｏｏｔｈモジュール１７によって他の情報機器２との間で確立された無線接続を切断し、ステップｓ１３に進む。
【００４９】
ステップｓ１３で、接続状態判定部４１は、無線ＬＡＮモジュール１８と無線ＬＡＮのアクセスポイント３との間で確立された無線接続が切断されたか否かを判定し、切断された場合にはステップｓ１４に進む。なお、ステップｓ１３の処理は、無線接続が切断されたと判定されるまで繰り返し行われる。
【００５０】
ステップｓ１４で、表示制御部４５は、図５（ｅ）に示すように、ステップｓ１２で切断された他の情報機器２との無線接続を再開させるか否かをユーザに選択させるためのメニュー画面Ｍ５の画像データを生成し、生成した画像データを表示部３１に与えることによって、メニュー画面Ｍ５を操作面３１ａに表示させ、ステップｓ１５に進む。このメニュー画面Ｍ５には、無線接続を再開させる場合に選択させるアイコンＩ４と、無線接続を再開しない場合に選択されるアイコンＩ５とが含まれている。
【００５１】
ステップｓ１５で、無線通信制御部４６は、タッチパネル１１から入力される検出信号を監視して、アイコンＩ４がタップ操作されたか否かを判定し、アイコンＩ４がタップ操作された場合にはステップｓ１６に進み、アイコンＩ５がタップ操作された場合には通信方式制御処理を終了する。ステップｓ１６で、無線通信制御部４６は、Ｂｌｕｅｔｏｏｔｈモジュール１７を制御し、他の情報機器２との間で無線接続を確立させ、通信方式制御処理を終了する。
【００５２】
ステップｓ１７で、無線通信制御部４６は、タッチパネル１１から入力される検出信号を監視して、アイコンＩ２がタップ操作されたか否かを判定し、アイコンＩ２がタップ操作された場合にはステップｓ１８に進み、タップ操作されていない場合にはステップｓ２３に進む。
【００５３】
ステップｓ１８で、無線通信制御部４６は、無線ＬＡＮモジュール１８によって無線ＬＡＮのアクセスポイント３との間で確立された無線接続を切断し、ステップｓ１９に進む。
【００５４】
ステップｓ１９で、接続状態判定部４１は、Ｂｌｕｅｔｏｏｔｈモジュール１７と他の情報機器２との間で確立された無線接続が切断されたか否かを判定し、切断された場合にはステップｓ２０に進む。なお、ステップｓ１９の処理は、無線接続が切断されたと判定されるまで繰り返し行われる。
【００５５】
ステップＳ２０で、表示制御部４５は、図５（ｆ）に示すように、ステップｓ１８で切断された無線ＬＡＮのアクセスポイント３との無線接続を再開させるか否かをユーザに選択させるためのメニュー画面Ｍ６の画像データを生成し、生成した画像データを表示部３１に与えることによって、メニュー画面Ｍ６を操作面３１ａに表示させ、ステップｓ２１に進む。このメニュー画面Ｍ６には、無線接続を再開させる場合に選択させるアイコンＩ６と、無線接続を再開しない場合に選択されるアイコンＩ７とが含まれている。
【００５６】
ステップｓ２１で、無線通信制御部４６は、タッチパネル１１から入力される検出信号を監視して、アイコンＩ６がタップ操作されたか否かを判定し、アイコンＩ６がタップ操作された場合にはステップｓ２２に進み、アイコンＩ７がタップ操作された場合には通信方式制御処理を終了する。ステップｓ２２で、無線通信制御部４６は、無線ＬＡＮモジュール１８を制御し、アクセスポイント３との間で無線接続を確立させ、通信方式制御処理を終了する。
【００５７】
ステップｓ２３で、無線通信制御部４６は、タッチパネル１１から入力される検出信号を監視して、アイコンＩ３がタップ操作されたか否かを判定し、アイコンＩ３がタップ操作された場合には通信方式制御処理を終了する。タップ操作されていない場合にはステップｓ１１に戻る。
【００５８】
以下、このような通信方式制御処理が実行される利用シーンの一例について説明する。たとえば携帯電話装置１０を用いて、ＩＥＥＥ８０２．１１ａ／ｂ／ｇ／ｎ規格のうちの少なくとも１つに準拠して無線ＬＡＮ経由でインターネットに接続してＷｅｂブラウジングを利用しているときに、予めペアリングしているヘッドセット（他の情報機器２）に電源が投入されることによって、そのヘッドセットと携帯電話装置１０とが、Ｂｌｕｅｔｏｏｔｈ経由で無線接続を開始すると、あるいは、ヘッドセット（他の情報機器２）と携帯電話装置１０とがＢｌｕｅｔｏｏｔｈ経由で無線接続しているときに、携帯電話装置１０と無線ＬＡＮのアクセスポイント３とが、ＩＥＥＥ８０２．１１ａ／ｂ／ｇ／ｎ規格のうちの少なくとも１つに準拠して無線接続を開始すると、携帯電話装置１０と無線ＬＡＮのアクセスポイント３とが、２．４ＧＨｚ帯および５ＧＨｚ帯のうちのいずれの周波数帯を利用して無線接続しているのかが判定される。
【００５９】
そして、５ＧＨｚ帯を利用して無線接続している場合には、アクセスポイント３との無線通信とヘッドセットとの無線通信とが干渉することによる通信品質の劣化が生じるおそれがないので、メニュー画面Ｍ１を表示して処理を終了する。
【００６０】
一方、２．４ＧＨｚ帯を利用して無線接続している場合であっても、動作中のプロファイルにＨＳＰまたはＨＦＰが含まれていない場合には、たとえば動作中のプロファイルがＡ２ＤＰである場合には、アクセスポイント３との無線通信とヘッドセットとの無線通信とが干渉することによる通信品質の劣化が生じるおそれがないので、メニュー画面Ｍ２を表示して処理を終了する。
【００６１】
また、動作中のプロファイルにＨＳＰまたはＨＦＰが含まれている場合であっても、携帯電話装置１０が無線基地局１との間で無線接続を確立することによって、他の電話機と通話状態でなければ、アクセスポイント３との無線通信とヘッドセットとの無線通信とが干渉することによる通信品質の劣化が生じるおそれがないので、メニュー画面Ｍ３を表示する。
【００６２】
そして、メニュー画面Ｍ３が表示されているときに、他の電話機からの着信に応答して、ヘッドセットを利用した通話が開始されると、アクセスポイント３との無線通信とヘッドセットとの無線通信とが干渉することによる通信品質の劣化が生じるおそれがあるため、メニュー画面Ｍ４を表示して、いずれの無線通信を優先させるかをユーザに選択させる。
【００６３】
ここで、ユーザの操作によって、無線ＬＡＮが優先された場合には、携帯電話装置１０とヘッドセットとの無線接続が切断される。これにより、携帯電話装置１０とアクセスポイント３との無線通信の通信品質が劣化することを防止することができる。たとえば、携帯電話装置１０で、インターネットを介してサーバからファイルをダウンロードしているような場合に、通信品質の劣化により不所望にダウンロードが中断されることを防止することができる。
【００６４】
また、ユーザの操作によって、Ｂｌｕｅｔｏｏｔｈが優先された場合には、携帯電話装置１０とアクセスポイント３との無線接続が切断される。これにより、携帯電話装置１０とヘッドセットとの無線通信の通信品質が劣化することを防止することができる。換言すれば、通信先との通話が不所望に途切れてしまうことを防止することができる。
【００６５】
また、メニュー画面Ｍ４には、同時接続状態を維持させるためのアイコンＩ３が設けられているので、ユーザは、通信品質の劣化が起こりうることを承知の上で、同時接続状態を維持させることができる。
【００６６】
以上のように、本実施形態によれば、２つの異なる通信規格のうちの一方の通信規格によって無線接続している状態から同時接続状態に遷移したときであって、かつ２つの通信規格による無線接続が互いに干渉して通信品質が劣化するような場合に、いずれの無線通信を優先させるかをユーザに選択させるように構成されている。したがって、従来技術のように、事前の設定が不要となるだけでなく、２つの通信規格によって他の情報機器２およびアクセスポイント３との同時の無線接続を可能にしつつ、互いに干渉して通信品質が劣化するような場合にのみ、ユーザは、優先する無線接続を選択するように促されるので、ユーザにとっての利便性を低下させることなく、外部の機器２，３と無線通信を行うことができる。
【００６７】
また、ユーザの選択により、一方の通信規格による無線接続が切断された場合には、他方の通信規格による無線接続の接続状態が監視され、他方の通信規格による無線接続が切断されると、一方の通信規格による無線接続を再開するか否かをユーザに選択させるように構成されているので、ユーザにとっての利便性を向上させることができる。
【００６８】
上述した実施形態では、通信方式制御プログラム２２は、フラッシュメモリ１９に記憶されているが、他の実施形態では、他の半導体メモリやハードディスクなどの記憶デバイスに記憶されていてもよく、または、コンピュータで読取り可能な記録媒体に記録され、外部記憶装置として設けられたプログラム読取装置に該記録媒体を挿入することによって、該記録媒体からプログラムが読み出される構成であってもよい。
【００６９】
本体と分離可能に構成される記録媒体は、たとえば磁気テープ／カセットテープなどのテープ系の記録媒体、フロッピー（登録商標）ディスクなどの磁気ディスクのディスク系の記録媒体、フレキシブルディスク／ハードディスクなどの磁気ディスクもしくはＣＤ−ＲＯＭ（Compact Disk Read Only Memory）／ＭＯ（Magneto Optical disk）／ＭＤ（Mini Disk）／ＤＶＤ（Digital Versatile Disk）などの光ディスクのディスク系の記録媒体、ＩＣ（Integrated Circuit）カード（メモリカードを含む）／光カードなどのカード系の記録媒体、またはマスクＲＯＭ／ＥＰＲＯＭ（Erasable Programmable Read Only Memory）／ＥＥＰＲＯＭ（登録商標）（Electrically Erasable Programmable Read Only Memory）／フラッシュＲＯＭなどの半導体メモリを含む固定的にプログラムを担持する記録媒体であってもよい。
【符号の説明】
【００７０】
１０  携帯電話装置
１１  タッチパネル
１６  移動体通信モジュール
１７  Ｂｌｕｅｔｏｏｔｈモジュール
１８  無線ＬＡＮモジュール
１９  フラッシュメモリ
２１  制御部
２２  通信方式制御プログラム
３１  表示部
３２  タッチセンサ
４１  接続状態判定部
４２  周波数帯判定部
４３  プロファイル判定部
４４  通話状態判定部
４５  表示制御部
４６  無線通信制御部
【図１】
2014045369.tif 000003
【図２】
2014045369.tif 000004
【図３】
2014045369.tif 000005
【図４】
2014045369.tif 000006
【図５】
2014045369.tif 000007